【手続補正書】
【提出日】平成17年4月4日(2005.4.4)
【手続補正１】
【補正対象書類名】特許請求の範囲
【補正対象項目名】全文
【補正方法】変更
【補正の内容】
【特許請求の範囲】
【請求項１】
ａ）鉄合金から成り、ほぼ平面状のベアリング面を備える支持構造体と、
ｂ）前記支持構造体中に位置する少なくとも１つの磁性あるいは磁化可能区域と、
ｃ）非磁性材料から成り、前記支持構造体の磁気誘導あるいは前記支持構造体への磁気漏れを阻止するため前記区域と前記支持構造体の間に配置された絶縁手段を備える磁気保持装置。
【請求項２】
前記装置が平面形状であり、かつ２つの対向する平面を備えることを特徴とする請求項１項記載の磁気保持装置。
【請求項３】
前記装置が矩形形状であることを特徴とする請求項１項記載の磁気保持装置。
【請求項４】
前記装置がグラフィックアートデザイン加工においてスペーサー板として用いられ、及び前記磁気保持装置の厚さが約４ｍｍから６．５ｍｍの範囲内であることを特徴とする先行する請求項のいずれかに記載の磁気保持装置。
【請求項５】
前記スペーサー板の前記ベアリング面のサイズが約２１０×１５０ｍｍ（Ａ５サイズ）、３００×２１０ｍｍ（Ａ４サイズ）あるいは４２０×３００ｍｍ（Ａ３サイズ）であることを特徴とする先行する請求項のいずれかに記載の磁気保持装置。
【請求項６】
前記支持構造体に、１または２以上の磁性あるいは磁化可能区域を受け入れるように適合した１または２以上の孔が含まれていることを特徴とする先行する請求項のいずれかに記載の磁気保持装置。
【請求項７】
前記支持構造体が軟鋼、はだ焼スチール、ステンレススチール等のスチールから成ることを特徴とする先行する請求項のいずれかに記載の磁気保持装置。
【請求項８】
前記少なくとも１つの磁性あるいは磁化可能区域に、磁界へ晒されて磁気を誘導するか、あるいは永久磁石の形態になっている磁化可能コアが含まれていることを特徴とする先行する請求項のいずれかに記載の磁気保持装置。
【請求項９】
前記磁気保持装置に相互に間隔を空けた複数の磁性あるいは磁化可能区域が含まれていることを特徴とする先行する請求項のいずれかに記載の磁気保持装置。
【請求項１０】
前記１または２以上の磁性あるいは磁化可能区域の直径が２〜１０ｍｍの範囲内であることを特徴とする先行する請求項のいずれかに記載の磁気保持装置。
【請求項１１】
前記少なくとも１つの磁性区域の直径が３〜６ｍｍの範囲内であることを特徴とする請求項１０項記載の磁気保持装置。
【請求項１２】
前記少なくとも１つの磁性区域の形状がほぼ円筒形であることを特徴とする先行する請求項のいずれかに記載の磁気保持装置。
【請求項１３】
前記少なくとも１つの磁性区域の軸長が前記支持構造体の厚さより短いことを特徴とする請求項１２項記載の磁気保持装置。
【請求項１４】
前記磁性区域が中に存在する前記孔の形状がカップ、導管、あるいはブロック形状であることを特徴とする先行する請求項のいずれかに記載の磁気保持装置。
【請求項１５】
前記支持構造体が中に存在する前記孔の形状が円筒形であることを特徴とする請求項１項ないし１３項のいずれかに記載の磁気保持装置。
【請求項１６】
前記近接する磁性区域を分離する間隔が５〜２５ｍｍの範囲内であることを特徴とする先行する請求項のいずれかに記載の磁気保持装置。
【請求項１７】
前記間隔が６〜８ｍｍであることを特徴とする請求項１６項記載の磁気保持装置。
【請求項１８】
前記複数の磁性区域が、それらの北極が同一平面上となる方向に向いていることを特徴とする先行する請求項のいずれかに記載の磁気保持装置。
【請求項１９】
前記磁性区域がグループ分けされていて、各グループ中のメンバーは共通平面中で同一極を共有するが近接するグループは相互に対向する極をもつようにグループ分けされていることを特徴とする請求項１項ないし１７項のいずれかに記載の磁気保持装置。
【請求項２０】
近接する磁性区域へ対向する極を備えることによって前記磁気保持装置のベアリング面上のいずれか特定箇所における磁界強度を最大化させることを特徴とする先行する請求項のいずれかに記載の磁気保持装置。
【請求項２１】
前記絶縁手段が、直接的磁気漏れから前記支持構造体を絶縁するのに有効な広範囲に亘る非磁性材料のいずれかから成ることを特徴とする先行する請求項のいずれかに記載の磁気保持装置。
【請求項２２】
前記磁性区域に、前記平面状ベアリング面に近接してあるいは該面と同一平面に位置する磁性面が含まれていることを特徴とする先行する請求項のいずれかに記載の磁気保持装置。
【請求項２３】
前記磁性面が、背部スチール製ダイ等の加工部品へ加えられる磁力を最大化するため前記平面状ベアリング面と同一平面に位置していることを特徴とする請求項１項ないし２１項のいずれかに記載の磁気保持装置。
【請求項２４】
グラフィックアートデザイン加工中に損傷を受ける可能性がある前記磁性区域へ疲労の影響が及ぶことを減ずるため、前記磁性面が前記平面状ベアリング面の平面のすぐ下に位置することを特徴とする請求項１項ないし２１項のいずれかに記載の磁気保持装置。
【請求項２５】
前記絶縁手段が、例えば銅、真鍮、亜鉛あるいはアルミニウム等の非磁性金属、銅合金、アルミニウム合金、マグネシウム合金、ニッケル、チタン、あるいは強化ガラス繊維等のポリマー材料、金属繊維、炭素繊維あるいは黒鉛繊維等の非磁性材料から成ることを特徴とする先行する請求項のいずれかに記載の磁気保持装置。
【請求項２６】
前記ポリマー材料には、アリルポリマー、エボキシポリマー、フラン、メラミンホルムアルデヒド、メラミンフェノールポリマー、フェノールポリマー、ポリブタジエンボリマー、熱硬化性ポリエステル及びアルキドポリマー、熱硬化性ポリアミドポリマー、熱硬化性ポリウレタンポリマー、軟質熱硬化性シリコンポリマー、シリコンエポキシポリマー及び熱硬化性ウレアポリマーから選択されるいずれか一種の熱硬化性樹脂が含まれることを特徴とする先行する請求項のいずれかに記載の磁気保持装置。
【請求項２７】
前記絶縁手段が銅合金から成ることを特徴とする請求項１項ないし２５項のいずれかに記載の磁気保持装置。
【請求項２８】
前記絶縁手段が、チューブ内において前記磁性区域が前記支持構造体の一面からその対向面まで貫通して延びるチューブ形状、あるいはカップ内において前記磁性区域が中に存在する前記孔が前記支持構造体を完全には貫通せずに延びているカップ形状、のいずれかの形状に作られていることを特徴とする先行する請求項のいずれかに記載の磁気保持装置。
【請求項２９】
前記磁気保持装置が、ニッケルの優れた特性を利用してさび及び引っかき傷に対する耐久性を付与するため、ニッケルめっきされていることを特徴とする先行する請求項のいずれかに記載の磁気保持装置。
【請求項３０】
熱伝達性を高めかつ向上させるため、絶縁された磁性区域に加えて、中空でない銅あるいは真鍮製ロッドを付加的に用いることを特徴とする先行する請求項のいずれかに記載の磁気保持装置。
【請求項３１】
プレス加工期間中の保持を補助するため、シリンダを用いるホットホイルプレス加工用の磁気装置へ噛合い手段が設けられていることを特徴とする先行する請求項のいずれかに記載の磁気保持装置。
【請求項３２】
ａ）硬質鉄合金から成り、かつほぼ平面状のベアリング面を備える支持構造体中に少なくとも１個の孔を形成する工程と、
ｂ）非磁性材料から成り、前記孔とほぼ共軸な孔の輪郭を限定する絶縁手段を前記孔中へ挿入する工程と、
ｃ）前記磁性体を前記孔中へ挿入する工程を含んで構成される、支持構造体中に位置する少なくとも１個の磁性体を備える磁気保持装置の製造方法であって、
前記支持構造体の磁気誘導あるいは前記支持構造体への磁気漏れを阻止するため、前記絶縁手段が前記磁性体と前記支持構造体との間に配置されていることを特徴とする前記製造方法。
【請求項３３】
ａ）鉄合金から成り、かつほぼ平面状のベアリング面を備える支持構造体中に少なくとも１個の孔を形成する工程と、
ｂ）非磁性絶縁手段によって囲まれた内部磁気コアを備える絶縁体を形成するため絶縁手段中へ磁性体を挿入する工程と、
ｃ）前記孔中へ前記絶縁体を挿入する工程を含んで構成される、支持構造体中に位置する少なくとも１個の磁性体を備える磁気保持装置の製造方法であって、
前記支持構造体の磁気誘導あるいは前記支持構造体への磁気漏れを阻止するため、前記絶縁手段が前記内部コアと前記支持構造体との間に配置されていることを特徴とする前記製造方法。
【請求項３４】
当業者に周知ないずれかの手段を用いて、前記支持構造体中に前記孔を形成することができることを特徴とする請求項３２項または３３項記載の磁気保持装置の製造方法。
【請求項３５】
前記孔が前記支持構造体の機械加工によって形成され、及び前記孔が前記支持構造体を完全に貫通して延びているか、あるいは途中まで延びてリセスを形成することを特徴とする請求項３４項記載の磁気保持装置の製造方法。
【請求項３６】
前記孔がブロック形状、四角形、矩形、または三角形等のいずれか適当な形状または輪郭に作られていることを特徴とする請求項３５項記載の磁気保持装置の製造方法。
【請求項３７】
前記磁性体の形状が好ましくは円筒形またはディスク形状であり、前記孔の形状が対応した円筒形またはカップ形状であることを特徴とする請求項３４項記載の磁気保持装置の製造方法。
【請求項３８】
前記磁性体が、対応したねじ手段か、そうでなければ溝付き手段を用いて前記絶縁手段中へ挿入されて相互に噛合うことを特徴とする請求項３２項または３３項に記載の磁気保持装置の製造方法。
【請求項３９】
前記磁性体が前記絶縁手段中へプレス加工によって嵌合されていることを特徴とする請求項３８項記載の磁気保持装置の製造方法。
【請求項４０】
前記磁性体が接着剤あるいは他の化合物を用いて前記絶縁手段中へ接着されることを特徴とする請求項３８項記載の磁気保持装置の製造方法。
【請求項４１】
前記絶縁体が前記絶縁手段の展性を利用して前記孔中へプレス加工によって嵌合され隙間のない嵌合を確保することを特徴とする請求項３２項または３３項記載の磁気保持装置の製造方法。
【請求項４２】
前記孔中での前記絶縁体の保持が接着剤あるいは他の化合物の利用によって向上されることを特徴とする請求項４１項記載の磁気保持装置の製造方法。
【請求項４３】
前記絶縁手段の壁厚が１０μｍから３ｍｍの範囲内であることを特徴とする請求項３２項または３３項記載の磁気保持装置の製造方法。
【請求項４４】
絶縁材料から成る外壁へ、前記絶縁磁気コアが加圧下時期尚早に前記磁気板から放出されること及び不断使用を防止する補助を行う単一または複数の段が設けられていることを特徴とする請求項３２項または３３項記載の磁気保持装置の製造方法。
【請求項４５】
磁気保持装置のベアリング面が実質的に平坦あるいは平面状であることを特徴とする請求項３３項または３４項記載の磁気保持装置の製造方法。
【請求項４６】
前記平面状ベアリング面を実質的に平面にするため、ベアリング面が研削機を用いて研削されることを特徴とする請求項４５項記載の磁気保持装置の製造方法。
【請求項４７】
磁気保持装置の裏面も同様に研削して裏面を実質的に均質かつ平らに確保することを特徴とする請求項４６項記載の磁気保持装置の製造方法。
【請求項４８】
金属導体が、
鉄合金から成る支持構造体と、
前記支持構造体中に位置し、相対的に低伝熱性かつ低導電性金属から成る第一区域と、
前記支持構造体から前記第一区域を取り囲む相対的に高伝熱性かつ高導電性金属から成る第二区域を含むことによって、
前記金属導体の伝熱率及び導電率が全体として第二区域材料単独の伝熱率及び導電率よりも良好になることを特徴とする前記金属導体。
【請求項４９】
前記支持構造体の形状が円筒形、波形、正多角形、球形、ブロック形状、あるいは平面状であることを特徴とする請求項４８項記載の金属導体。
【請求項５０】
ホットホイルスタンピングの場合において、支持構造体が主として平面状あるいは円筒形状であることを特徴とする請求項４９項記載の金属導体。
【請求項５１】
前記支持構造体が軟鋼、はだ焼スチール、ステンレススチール、あるいは炭素鋼等のスチールから成ることを特徴とする請求項４８項ないし５１項記載の金属導体。
【請求項５２】
前記第二区域が、銅、ニッケル、銀、金、アルミニウム、亜鉛、マグネシウム、チタン、あるいは真鍮等の銅合金、アルミニウム合金及びマグネシウム合金等の合金の形成に用いられる前記金属の２以上の混合物等を含む種々の高伝熱性及び／または高導電性材料から作られることを特徴とする請求項４８項ないし５１項のいずれかに記載の金属導体。
【請求項５３】
金属導体が、
鉄合金から成る支持構造体と、
前記支持構造体中に位置する第一磁性あるいは磁化可能区域と、
前記ダイ位置区域を取り囲む相対的に高伝熱性かつ高導電性金属から成る第二区域、を含むことによって、
金属導体の伝熱率及び導電率が全体として第二区域材料単独の伝熱率及び導電率よりも良好になることを特徴とする前記金属導体。
【請求項５４】
金属導体中の前記第一区域の低伝導性金属に、高含量の鉄と、同様に低伝熱性かつ低導電性である他の元素成分から成る金属合金、例えば１６−３２ＭＧＯｅ（メガガウスオルステッド）の磁束をもつサマリウムコバルト（ＳｍＣｏ17）、及びＭＧＯｅが２４−４８であるネオジム−鉄−ホウ素（ＮｄＦｅＢ）が含まれることを特徴とする請求項５３項記載の金属導体。
【請求項５５】
金属導体中の第一区域に島状構造を形成し、それぞれが第二区域で取り囲まれかつ前記支持構造体中に設けられた複数の別個の区域が含まれていることを特徴とする請求項５３項または５４項記載の金属導体。
【請求項５６】
前記第一区域が前記支持構造体の表面の全体に亘って不規則あるいはランダムに散在されていることを特徴とする請求項５５項記載の金属導体。
【請求項５７】
金属導体中の前記第一区域に島状構造の規則的な列が含まれていることを特徴とする請求項５５項記載の金属導体。
【請求項５８】
金属導体中の前記第一区域が強磁性材料から作られ、かつ前記支持構造体表面と同一平面において規則的な列に配列された複数の機密で中空でないシリンダあるいはプラグ形状をしていることを特徴とする請求項４９項ないし５７項のいずれかに記載の金属導体。
【請求項５９】
前記プラグが前記支持構造体の一外面から一対向外面まで延びていることを特徴とする請求項５８項記載の金属導体。
【請求項６０】
ａ）鉄合金から成り、１または２以上のリセスを含みかつベアリング面を有する支持構造体と、
ｂ）前記支持構造体の前記リセス中に位置する少なくとも１つの磁性あるいは磁化可能区域と、
前記支持構造体の磁気誘導あるいは前記区域から前記支持構造体への磁気漏れを阻止するため、前記区域と前記支持構造体との間に配置された非磁性材料から成る絶縁手段を備えて構成される磁気保持装置。
【請求項６１】
磁気保持装置中のベアリング面が平面形状、円筒形状、そうでなければ湾曲面形状であることを特徴とする請求項６０項記載の磁気保持装置。
【請求項６２】
金属導体が、
鉄合金から成る支持構造体と、
前記支持構造体中に位置し、かつ金属から成る第一の低伝導性区域と、
それぞれが金属から成り、かつ前記支持構造体から前記第一区域の１つを取り囲んでいる第二の高伝導性区域と、
前記第二の高伝導性区域の少なくとも２つの中間にある第三の高伝導性区域を含んで構成されることによって、
前記金属導体の伝熱率及び導電率が全体として前記第二あるいは第三の高伝導性区域単独の材料の伝熱率及び導電率よりも良好であることを特徴とする前記金属導体。
【請求項６３】
金属導体中の前記第三の高伝導性区域が好ましくは前記第二の高伝導性区域から隔離されていることを特徴とする請求項６２項記載の金属導体。
【請求項６４】
前記第三区域が好ましくは前記支持構造体中に埋設されていることを特徴とする請求項６３項記載の金属導体。
【請求項６５】
金属導体中の前記第三区域が前記支持構造体中の孔中に固定設置されているか、あるいは挿入されていることを特徴とする請求項６１項ないし６４項のいずれかに記載の金属導体。
【請求項６６】
第三区域に、第二区域の中間にある複数の島状構造が含まれていることを特徴とする請求項６１項から６６項のいずれかに記載の金属導体。
【請求項６７】
金属導体中の前記島状構造の形状がロッド状、板状、円筒形、円錐形、円錐台形、四角形あるいは矩形の箱状、あるいは円筒形であることを特徴とする請求項６６項記載の金属導体。
【請求項６８】
金属導体中の前記島状構造が、非鉄金属、あるいは銅または真鍮等の金属合金、あるいは前記第二区域を作ることができるいずれかの材料から成ることを特徴とする請求項６６項または６７項記載の金属導体。
【請求項６９】
サブユニットから構成されることを特徴とする請求項６１項ないし６８項のいずれかに記載の金属導体。
【請求項７０】
２以上の個々の金属導体を組み合わせて前記個々のサブユニットの和集合であるより大形で単一の上部ベアリング面を与えることを特徴とする請求項６９項記載の金属導体。
【請求項７１】
金属導体が板状体であり、前記板状体が並んで接合されて実質的にシームレスな上部ベアリング面を与えることを特徴とする請求項７０項記載の金属導体。
【請求項７２】
各サブユニットの少なくとも１つの周縁端部に前記サブユニットの正しい整列を確実にするための整列手段が備えられていることを特徴とする請求項７１項記載の金属導体。
【請求項７３】
前記整列手段に、第一サブユニットにおけるおすコンポーネント及び第二サブユニットにおけるめすコンポーネント等のおすまたはめすコンポーネントが設けられていることを特徴とする請求項７２項記載の金属導体。
【請求項７４】
前記整列手段に、さねとはぎ、ピンとホール、レールと溝穴の配列、あるいはいずれか他の適当な突起とリセスの組合せが設けられていることを特徴とする請求項７３項記載の金属導体。
【請求項７５】
一サブユニットの他のサブユニットとの共同作動が可能となるように、前記サブユニットが横方向の磁気誘引力あるいは反発力を殆ど示さないことを特徴とする請求項７４項記載の金属導体。
【請求項７６】
ａ）鉄金属支持体上へ磁気保持装置を整列させる工程と、
ｂ）前記磁気保持装置上へ前記ダイを整列させる工程と、
ｃ）前記上部周縁面及び前記ベアリング面へ一定の長さの片側接着テープを貼付して前記磁気保持装置へ前記ダイを固定する工程を含んで構成される、グラフィックアートデザイン加工における、レリーフ面に近接する上部周縁面を備えるダイの、ベアリング面を備える本願記載の磁気保持装置への整列方法であって、
前記接着剤は前記グラフィックアートデザイン加工期間中、前記ダイが正しい位置に留まっていることを確実にするのに十分な程度の接着強度をもつことを特徴とする前記整列方法。
【請求項７７】
前記ダイが、真鍮、銅、マグムシウム、アルミニウム、亜鉛、あるいはポリマー（またはそれらの複合物）から選択されるいずれかから成ることを特徴とする請求項７６項記載のダイ整列方法。
【請求項７８】
前記ダイの厚さが、ダイの残り上面のラインより高く位置しているレリーフ面を含めて、０．５ｍｍから２ｍｍ、あるいは１／３１から１／１６インチの範囲内であることを特徴とする請求項７６項または７７項のいずれかに記載のダイ整列方法。
【請求項７９】
前記上部周縁面がダイの上面全体の周囲へ延びていることを特徴とする請求項７６項ないし７８項のいずれかに記載のダイ整列方法。
【請求項８０】
前記上部周縁面がダイの一端に沿ってのみ延びていることを特徴とする請求項７６項ないし７８項のいずれかに記載のダイ整列方法。
【請求項８１】
レリーフが位置している表面のラインより高くなることなく前記上部周縁面の表面へテープを貼付できるように、前記上部周縁面にリセスが形成されていることを特徴とする請求項７６項ないし７８項のいずれかに記載のダイ整列方法。
【請求項８２】
前記上部周縁面の幅が５ｍｍから５０ｍｍの範囲内であることを特徴とする請求項８１項記載のダイ整列方法。
【請求項８３】
前記リセスの深さが０．１ｍｍから２ｍｍの範囲内であることを特徴とする請求項８１項記載のダイ整列方法。
【請求項８４】
前記レリーフ面がダイの上面に対して中央にあることを特徴とする請求項７６項ないし８３項のいずれかに記載のダイ整列方法。
【請求項８５】
磁気保持装置が、製造行程中に移動されることなく印刷装置のチェースへ安定に接着するため、十分な磁束をもつ板形状に構成されている一方、製造行程に先立ってダイの所望の整列を達成するため標準の手動器具を用いて前記磁気保持装置を十分移動することができることを特徴とする請求項１項ないし４７項、６０項または６１項のいずれかに記載の磁気保持装置。
【請求項８６】
磁気保持装置の平面の大きさを縮小して、磁気保持装置によってチェースへ加えられる磁力を全体的に最小にすることを特徴とする請求項８５項記載の磁気保持装置。
【請求項８７】
別個に取り扱える寸法の小さいサブユニットである２以上の磁気保持板の組合せから成り、前記磁気保持板組み合わせるとダイを取り付けられるより大形の単一ベアリング面にできることを特徴とする請求項８６項記載の磁気保持装置。
【請求項８８】
前記サブユニットに整列手段が含まれていることを特徴とする請求項８７項記載の磁気保持装置。
【請求項８９】
前記整列手段がサブユニットの１または２以上の周縁端部に沿って配置され、近接するサブユニットには相補的な整列手段が備えられていることを特徴とする請求項８８項記載の磁気保持装置。
【請求項９０】
前記整列手段が、チェースからサブユニットの１または２以上を別個に取り扱い、整列し直し、あるいは取り除くことが必要となった時に取り外し可能な噛合い手段を与えることを特徴とする請求項８９項記載の磁気保持装置。
【請求項９１】
前記整列手段に、さねと溝、突起と孔、フランジと溝穴、レールとリセスの配列の中から選択される、おす及びめすコンポーネントが設けられていることを特徴とする請求項９０項記載の磁気保持装置。
【請求項９２】
前記サブユニットの周縁端部が、近接するサブユニットが接合される際にダイへ付与される上部ベアリング面が実質的にシームレスになるように、ワイヤカッターあるいはレーザカッター等の高度な精密切断器具を用いて低許容範囲に切断されることを特徴とする請求項８７項ないし９１項のいずれかに記載の磁気保持装置。
【請求項９３】
使用されるテープが高温耐久性かつホットホイルスタンピング加工あるいはいずれか他の高温を必要とするグラフィックアートデザイン加工における使用に適合したテープであることを特徴とする請求項７６項ないし８３項のいずれかに記載のダイ整列方法。
【請求項９４】
前記テープが前記加工中の操作温度で硬化せず、かつ残渣を残さず容易に取り外せる種類の接着剤を用いていることを特徴とする請求項９３項記載のダイ整列方法。
【請求項９５】
テープの裏側がホリアミドまたはホリエステル等のポリマーフィルム、ガラス布テープ、あるいは平滑、ミニあるいは厚手クレープ紙を用いたクレープ紙マスキングテープであることを特徴とする請求項９４項記載のダイ整列方法。
【請求項９６】
前記接着剤に、高温耐久性で、ダイ及び磁気保持装置へ残渣を残さず容易に取り外せるシリコン接着剤が含まれることを特徴とする請求項９４項記載のダイ整列方法。
【請求項９７】
ｅ）グラフィックアートデザイン加工を実施する工程と、後続して、
ｆ）上部周縁面あるいはベアリング面上に接着剤の残渣が残らないように、かつダイが工程ｆ）においてテープの剥ぎ取りによって損傷を受けないように、上部周縁面及びベアリング面からテープを剥がし取る工程をさらに含むことを特徴とする請求項７６項ないし８４項のいずれか、あるいは請求項９３項ないし９６項のいずれかに記載のダイ整列方法。
【請求項９８】
ダイの当初の厚さがグラフィックアートデザイン加工に望まれる厚さである１／４インチあるいは７ｍｍより厚い場合、ダイの接着方法にさらにダイをほぼ１．３ｍｍあるいは１／１６インチの厚さまで切断する予備的工程が加えられることを特徴とする請求項７６項ないし８４項のいずれか、あるいは請求項９３項ないし９７項のいずれかに記載のダイ整列方法。